(57)【要約】【課題】  予約受付用に大容量のサーバを設置しなくても、乗客がビル内の配置や行先階数を意識せずに目的階に行けるサービスを実現するエレベータ制御システムを提供する。【解決手段】  乗客の携帯電話１０１と、少なくとも商品データとこの商品が存在する行先階データとを格納し携帯電話１０１に商品選択の操作画面を提供し携帯電話１０１からの選択商品に応じて商品データおよび行先階データを携帯電話１０１に送り保持させるデータベース情報サーバ２０１と、商品データおよび行先階データを保持した携帯電話１０１からのホール呼びに応じてエレベータの行先階を決定しエレベータを運転するエレベータ制御装置３００とからなるエレベータ制御システム。  乗客は、使い慣れた携帯電話を利用できて、操作にとまどわない。予約情報を携帯電話１０１側に分散して格納するので、予約受付用に大容量のサーバを設置しなくてもよい。【選択図】        図１
2005231755.tif 000002
【特許請求の範囲】
【請求項１】
乗客の携帯端末と、
少なくとも商品データと当該商品が存在する行先階データとを格納し前記携帯端末に商品選択の操作画面を提供し前記携帯端末からの選択商品に応じて前記商品データおよび行先階データを前記携帯端末に送り保持させるデータベース情報サーバと、
前記商品データおよび行先階データを保持した前記携帯端末からのホール呼びに応じてエレベータの行先階を決定しエレベータを運転するエレベータ制御装置とからなるエレベータ制御システム。
【請求項２】
請求項１に記載のエレベータ制御システムにおいて、
前記エレベータ制御装置が、前記携帯端末を持たないで来訪した乗客のために少なくとも商品データおよび行先階データの情報を保持しエレベータ乗り場や出入口に置かれた商品カードからホール呼びを取り込む入力処理手段を備えたことを特徴とするエレベータ制御システム。
【請求項３】
乗客の携帯端末と、
少なくとも商品データと当該商品が存在する行先階データと認証コードとを格納し前記携帯端末に商品選択の操作画面を提供し前記携帯端末からの選択商品に応じて前記商品データ，行先階データ，認証コードを前記携帯端末に送り保持させるデータベース情報サーバと、
前記商品データ，行先階データ，認証コードを保持した前記携帯端末からのホール呼びに応じてエレベータの行先階を決定しエレベータを運転するエレベータ制御装置とからなるエレベータ制御システム。
【請求項４】
請求項２に記載のエレベータ制御システムにおいて、
前記エレベータ制御装置が、前記携帯端末を持たないで来訪した乗客のために少なくとも商品データおよび行先階データの情報を保持しエレベータ乗り場や出入口に置かれた商品カードまたは認証コードからホール呼びを取り込む入力処理手段を備えたことを特徴とするエレベータ制御システム。
【請求項５】
請求項３または４に記載のエレベータ制御システムにおいて、
前記認証コードが、乗客固有のデータを含み、
前記乗客固有のデータは、商品の一般位置と乗客固有の商品位置とが異なる場合に、乗客固有の商品位置に対応する行先階を保持する
ことを特徴とするエレベータ制御システム。
【請求項６】
請求項３ないし５のいずれか一項に記載のエレベータ制御システムにおいて、
前記エレベータ制御装置は、登録された乗客固有のデータに乗客が車椅子を使用していることを示す情報が含まれている場合に、当該乗客が乗降する階でのドア開閉時間を長くする指令を発行する
ことを特徴とするエレベータ制御システム。
【請求項７】
請求項３ないし６のいずれか一項に記載のエレベータ制御システムにおいて、
商品を特定するコードと、個人情報のデータとを用いた認証コードを作成し、この認証コードを携帯端末に配信し、この携帯端末の画面に表示する認証コードを使ってエレベータサービスや個人認証サービスをする
ことを特徴とするエレベータ制御システム。
【請求項８】
請求項１ないし７のいずれか一項に記載のエレベータ制御システムにおいて、
乗りかご内操作盤の階床ボタンを半押しと全押しの２段階構造とし、
前記エレベータ制御装置は、半押し入力操作を検出したら映像表示器に入力された階の情報を表示し、全押し入力操作を検出したら入力された階に行くエレベータサービスをする
ことを特徴とするエレベータ制御システム。
【発明の詳細な説明】
【技術分野】
【０００１】
本発明は、エレベータ制御システムに係り、特に、乗客を行先階の目的位置に正確かつ迅速に案内する手段に関する。
【背景技術】
【０００２】
従来、エレベータに乗る場合は、エレベータホールに設けられたホール呼びボタンおよび乗りかご内に設けられた行先階ボタンを利用することが一般的であった。より利便性を高めるために、携帯電話などの携帯端末を利用して遠隔からホール呼び操作を実行する技術が開発されている(例えば、特許文献１参照)。
【０００３】
このエレベータ行先階登録システムでは、１階から執務場所、執務場所から食堂など、エレベータの乗り階と行先階との組み合わせを予め登録して置き、エレベータ利用時には携帯端末を用いて、適切な組み合わせを選択する。
【０００４】
【特許文献１】特開２００１−３０２１１７号公報  （第７頁、図１）
【発明の開示】
【発明が解決しようとする課題】
【０００５】
上記特許文献１の従来技術では、遠隔からホール呼び操作を予めしてあっても、所定の時刻にエレベータホールに到着しない場合は、適切なサービスを提供できなかった。
【０００６】
また、上記従来技術では、エレベータの利用予約時に行先階を入力しなければならないのに、行先階の内容を知らなければ、階数を指定できなかった。
【０００７】
さらに、乗客数が多いエレベータでは、予想される予約数に合わせてエレベータ制御システム側に大容量のサーバを設置する必要があった。
【０００８】
本発明の目的は、予約受付用に大容量のサーバを設置しなくても、乗客がビル内の配置や行先階数を意識せずに目的階に行けるサービスを実現するエレベータ制御システムを提供することである。
【課題を解決するための手段】
【０００９】
本発明は、上記目的を達成するために、乗客の携帯端末と、少なくとも商品データと当該商品が存在する行先階データとを格納し携帯端末に商品選択の操作画面を提供し携帯端末からの選択商品に応じて商品データおよび行先階データを携帯端末に送り保持させるデータベース情報サーバと、商品データおよび行先階データを保持した携帯端末からのホール呼びに応じてエレベータの行先階を決定しエレベータを運転するエレベータ制御装置とからなるエレベータ制御システムを提案する。
【００１０】
前記エレベータ制御装置は、携帯端末を持たないで来訪した乗客のために少なくとも商品データおよび行先階データの情報を保持しエレベータ乗り場や出入口に置かれた商品カードからホール呼びを取り込む入力処理手段を備えることができる。
【００１１】
本発明は、また、乗客の携帯端末と、少なくとも商品データと当該商品が存在する行先階データと認証コードとを格納し携帯端末に商品選択の操作画面を提供し携帯端末からの選択商品に応じて商品データ，行先階データ，認証コードを携帯端末に送り保持させるデータベース情報サーバと、商品データ，行先階データ，認証コードを保持した携帯端末からのホール呼びに応じてエレベータの行先階を決定しエレベータを運転するエレベータ制御装置とからなるエレベータ制御システムを提案する。
【００１２】
前記エレベータ制御装置は、携帯端末を持たないで来訪した乗客のために少なくとも商品データおよび行先階データの情報を保持しエレベータ乗り場や出入口に置かれた商品カードまたは認証コードからホール呼びを取り込む入力処理手段を備えてもよい。
【００１３】
前記認証コードが、乗客固有のデータを含み、商品の一般位置と乗客固有の商品位置とが異なる場合に、乗客固有のデータは、乗客固有の商品位置に対応する行先階を保持する。
【００１４】
いずれのエレベータ制御システムにおいても、前記エレベータ制御装置は、登録された乗客固有のデータに乗客が車椅子を使用していることを示す情報が含まれている場合に、当該乗客が乗降する階でのドア開閉時間を長くする指令を発行する。
【００１５】
商品を特定するコードと、個人情報のデータとを用いた認証コードを作成し、この認証コードを携帯端末に配信し、この携帯端末の画面に表示する認証コードを使ってエレベータサービスや個人認証サービスをすることも可能である。
【００１６】
さらに、乗りかご内操作盤の階床ボタンを半押しと全押しの２段階構造とし、エレベータ制御装置は、半押し入力操作を検出したら映像表示器に入力された階の情報を表示し、全押し入力操作を検出したら入力された階に行くエレベータサービスをしてもよい。
【発明の効果】
【００１７】
本発明のエレベータ制御システムによれば、乗客は、ビル内の配置や行先階数を意識せずに目的階に行ける。また、使い慣れた携帯端末を利用するため、操作にとまどうことがない。
【００１８】
一方、ビル側にとっては、エレベータ乗客が行先階を迷わずに済むので、乗りかごの階床停止時間を短縮し、エレベータ待ち乗客のイライラを低減し、輸送力を増強できる。特に、予約情報をそれぞれの携帯端末側に分散して格納して置くことにより、予約受付用に大容量のサーバを設置しなくてもよい。
【発明を実施するための最良の形態】
【００１９】
次に、図１および図２を参照して、本発明によるエレベータ制御システムの実施形態を説明する。
【００２０】
図１は、本発明によるエレベータ制御システムの機能構成を示すブロック図である。
【００２１】
本実施形態のエレベータ制御システムは、携帯端末１０１と、データベース情報サーバ２０１と、データ・情報入力手段２０２と、エレベータ制御装置３００と、映像表示手段４０１，４０２と、音声アナウンス手段４０３，４０４とからなる。
【００２２】
データ・情報入力手段２０２は、テナントやビルオーナが、店内改装やバーゲンセールなどに伴い、階床と商品との対応を自由に変更し、データベース情報サーバ２０１に格納するために備えられる。
【００２３】
エレベータ制御装置３００は、入力処理手段３０１と、照合確認手段(判別手段)３０２と、割込処理手段３０３と、行先階決定手段３０４と、本来のエレベータ制御手段３０５と、案内情報出力処理手段３０６とを含んでいる。
【００２４】
携帯端末１０１は、エレベータの乗客がこのサービスを受けるために利用する端末である。乗客は、携帯端末１０１を利用して行先階を自動登録し、エレベータの乗りかごを呼び、乗客案内サービスを受ける。携帯端末１０１として最適な装置は、携帯電話，ＰＨＳ(Personal Handyphone System)などである。
【００２５】
データベース情報サーバ２０１は、携帯端末１０１に商品選択の操作画面やバーゲン情報などを提供するとともに、携帯端末１０１から乗客の要求を受け付ける。例えば、デパートのエレベータにデータベース情報サーバ２０１を接続した場合、デパートのウェブと連動する。例えば、カメラ売り場が３階と４階にあり、デジタルカメラ売り場が４階のみにあるように複数階にまたがるなどの規模の大きな店舗では、商品情報とより詳細な位置情報(階情報)とともに送信できる。婦人服をサイズ別にレイアウトしてある場合なども同様である。
【００２６】
乗客は、携帯端末１０１でそのウェブにアクセスし、商品選択の操作画面上で、購入したい商品のデータまたはその前に実物を確認したい商品のデータを選択し、データベース情報サーバ２０１に送る。
【００２７】
データベース情報サーバ２０１は、携帯端末１０１からの乗客の要求を受け付け、商品と売り場階とを照合し、携帯端末１０１に商品データ，行先階データ，認証コードを携帯端末１０１に送信する。
【００２８】
本実施形態の認証コードは、単純には、商品データと行先階データとの組み合わせであり、その表現に適したコードとしては、例えば、２次元バーコードがある。
【００２９】
認証コードには、各顧客に特有の顧客情報を追加することもできる。例えば、注文商品やオーダーメイド商品引き渡しの際の本人特定手段としてもよい。
【００３０】
自宅，電車，バス，タクシーなどの中で行先を前もって設定した乗客は、エレベータホールに到着したら、商品データ，行先階データ，認証コードを格納した携帯端末１０１をエレベータの呼びボタンの近くに設置した(図示しない)リーダに向ける。リーダは、それらのデータを取り込み、ホール呼びとして入力処理手段３０１に送信する。
【００３１】
携帯端末１０１を持たないで来訪した後にこのサービスを受けようとする乗客のためには、商品データ・行先階データの情報が入っている無線タグを内蔵し商品が絵などで表示された商品カード１０２をエレベータ乗り場や出入口に置いてもよい。
【００３２】
また、ビラ，ダイレクトメール，名刺，広告紙などに認証コード１０３を入れて配布し、商品カード１０２と同等のサービスをしてもよい。
【００３３】
さらに、無線タグも、商品カード１０２に限らず、ビラ，ダイレクトメール，名刺，広告紙などに内蔵できる。
【００３４】
なお、以前に購入したことがある商品タグのバーコードなどを認証コード１０３としてエレベータの呼びボタン近くのリーダに向けるようにしても、ホール呼びとして入力処理手段３０１に送信することが可能である。
【００３５】
乗客が、商品カード１０２の中から１枚または数枚を選んで取り、それをエレベータのリーダに向けると、リーダは、入力処理手段３０１に商品データ・行先階データの情報を送信する。
【００３６】
このように入力された情報は、入力処理手段３０１から照合確認手段(判別手段)３０２に送られる。
【００３７】
照合確認手段３０２が、入力された情報と予め登録してある情報との一致を確認すれば、行先階決定手段３０４に進む。
【００３８】
商品カードや認証コードの読み取りエラー，期限が過ぎたバーゲンの階床指定，他の支店の階床指定，行先階データの未登録などにより、入力された情報と予め登録してある情報とが一致しなければ、割込処理３０３に進み、改めてデータベース情報サーバ２０１の内容と照合する。
【００３９】
割込処理手段３０３は、データベース情報サーバ２０１から行先階データの情報を改めて取得し、イベントや急な店内改装による商品や行先階の変更があった場合は、それに応じて、乗客から入力された商品に対する行先階データを変更し、行先階決定手段３０４に進む。割込処理手段３０３は、また、データ情報入力手段２０２とも接続されているので、テナントやビルオーナが、割込処理の条件を設定したり、情報を修正したりできる。
【００４０】
行先階決定手段３０４は、照合確認手段３０２からの正常な情報または割込処理手段３０３で修正された情報に基づき行先階を決定し、行先階データをエレベータ制御手段３０５に指令するとともに、映像表示４０１に表示させる。また、音声アナウンス４０３から音声でガイドしてもよい。映像表示と音声アナウンスとは、併用してもよいし、どちらか一方だけでもよい。
【００４１】
さらに、携帯端末１０１，商品カード１０２，認証コード１０３をリーダに近づければ、映像表示４０１で、この商品写真を表示し、それが何階にあるかをアナウンスしてもよい。
【００４２】
エレベータ制御手段３０５は、到着前に、案内情報出力処理手段３０６から映像表示４０２および／または音声アナウンス４０４に指令を出し、階数と商品名とを乗客に案内し、扉を開閉する。
【００４３】
乗客が商品カード１０２を返却せずに持ち帰っても、再度来店すれば使えるようにする。
【００４４】
いくつかの支店のうち特定店のみで、商品カード１０２が有効となるようにしてもよい。
【００４５】
付帯サービスとして、登録されたデータベース情報サーバ２０１に乗客が車椅子を使用していることを表す情報が含まれている場合には、乗客が乗り降りする階でのドア開閉時間を長くする指令を発行する。
【００４６】
乗りかご内操作盤の階床ボタンの構造を半押しと全押しの２段階とし、半押し入力操作を検出したときは、映像表示４０１に入力された階の情報を表示し、音声アナウンス４０３もする。さらに、全押し入力操作を検出したときは、入力された階に行くということを乗客に知らせるような構成も採用できる。
【００４７】
図２は、本発明によるエレベータ制御システムのデータベース情報サーバ２０１と携帯端末１０１との間のデータのやりとりを示すフローチャートである。
【００４８】
ＪＡＮ(Japanese Article Number)コードは、商品ごとに１つしかないユニークなコードである。したがって、ＪＡＮコードが分かると、商品検索の確率が高くなる。
【００４９】
携帯端末１０１でＪＡＮコード１００１を入力すると、この情報はデータベース情報サーバ２０１内のコード照合・行先階照合１１０１に送られる。
【００５０】
照合・行先階照合１１０１は、乗客からのＪＡＮコードとデータベース情報サーバ２０１に登録されているＪＡＮコードとを照合し、乗客に対するサービスの一環として、商品の在庫を確認１１０２する。
【００５１】
在庫していれば、携帯端末１０１に商品内容，この商品の行先階情報，認証コード１００２を送り、携帯端末１０１は、この商品内容，行先階情報，認証コードを表示する。
【００５２】
在庫していなければ、注文処理・納期情報出力１１０３に進み、注文処理・納期確認をした後、その入荷日，行先階，認証コード１００３を携帯端末１０１に送り、携帯端末１０１は、入荷日案内，行先階データ，認証コードを表示する。この認証コードは、店舗にない商品またはオーダーメイド商品を取り寄せてもらったときの本人確認などにも利用できる。
【００５３】
一方、乗客が、商品のＪＡＮコードを知らない場合は、携帯端末１０１で、商品分野のレベルから検索し、商品分野，商品名，商品型番１００４で、「パソコン」「冷蔵庫」「本」などの大まかな商品分野を入力すると、データベース情報サーバ２０１は、商品照合・行先階照合１１０４で商品を照合し、いくつかの候補商品を商品候補情報出力１１０５に出力する。商品候補情報出力１１０５は、いくつかの候補商品，行先階情報１００５を携帯端末１０１に送る。
【００５４】
乗客は、商品候補情報出力１１０５から送られた商品確認・行先階情報１００５の中から少なくとも１つを選択１００６し、ＪＡＮコード１００１をデータベース情報サーバ２０１のコード照合・行先階照合１１０１に送る。
【００５５】
その後は、上記ＪＡＮコード入力１００１入力からの手順の場合と同様のサービスを受けることができる。
【００５６】
本実施形態によれば、エレベータの乗客は、行先階数を意識せずに、購入目的の商品またはサービスを直接選択してエレベータに乗り込むことができる。
【００５７】
また、初めて来店する客のように売り場の配置に詳しくない客が、複雑な売り場案内図を見て何階で降りるべきかを検討する手間が省ける。
【００５８】
デパート側にとっては、買い物客が行先階を迷わずに済むので、乗りかごの階床停止時間を短縮でき、輸送力を増強し顧客の不満感を低減し、結果として販売効率を高めることができる。
【００５９】
さらに、予約情報をそれぞれの携帯端末側に分散して格納して置くことにより、予約受付用に大容量のサーバを設置しなくてもよい。
【図面の簡単な説明】
【００６０】
【図１】本発明によるエレベータ制御システムの機能構成を示すブロック図である。
【図２】本発明によるエレベータ制御システムのデータベース情報サーバと携帯端末との間のデータのやりとりを示すフローチャートである。
【符号の説明】
【００６１】
１０１  携帯端末
１０２  商品カード
１０３  認証コード
２０１  データベース情報サーバ
２０２  データ・情報入力手段
３００  エレベータ制御装置
３０１  入力処理手段
３０２  照合確認手段(判別手段)
３０３  割込処理手段
３０４  行先階決定手段
３０５  エレベータ制御手段
３０６  案内情報出力処理手段
４０１  映像表示手段
４０２  映像表示手段
４０３  音声アナウンス手段
４０４  音声アナウンス手段
１００１  ＪＡＮコード
１００２  商品内容確認・行先階情報・認証コード
１００３  入荷日案内・行先階情報・認証コード
１００４  商品分野・商品名・商品型番
１００５  商品確認・行先階情報
１００６  選択処理
１１０１  コード照合・行先階照合
１１０２  在庫確認
１１０３  注文処理・納期情報出力
１１０４  商品照合・行先階照合
１１０５  商品候補情報出力
【図１】
2005231755.tif 000003
【図２】
2005231755.tif 000004